(57)【要約】【課題】  作業性に優れ、簡易な構造で、確実に接続部等の保護が可能な光ファイバクロージャ等を提供する。【解決手段】  クロージャ１は、主に光ファイバトレイ７、ケーブル保持部９、カバー３、端面カバー５等から構成される。光ファイバケーブル１１および支持線１５は一対のケーブル保持部９によって保持される。ケーブル保持部９は、クロージャ１の両端部近傍にそれぞれ設けられ、光ファイバトレイ７に固定される。ケーブル保持部９は主に、台座２３および押さえ部材２５等から構成される。台座２３は、光ファイバトレイ７に固定される板状部材である。台座２３には、ボルト２７と螺合可能な雌ねじ部が形成される。押さえ部材２５は、ボルト２７によって台座２３に取り付け可能であり、ボルト２７によって、押さえ部材２５と台座２３との距離を調整可能である。ケーブル保持部９には、支持線保持部２９および光ファイバケーブル保持部３１が形成される。【選択図】図１
2012053132.tif 000002
【特許請求の範囲】
【請求項１】
光ファイバケーブルの接続部に用いられるクロージャであって、
ケーブルを保持するケーブル保持部と、
前記光ファイバケーブルの接続部を収納可能な光ファイバトレイと、
前記光ファイバトレイおよび前記ケーブル保持部を覆うカバーと、
を具備し、
前記ケーブル保持部は、支持線および光ファイバケーブルを保持可能に一体で形成され、
一体化された前記ケーブル保持部は、クロージャの両端部近傍にそれぞれ一対設けられ、前記光ファイバケーブルの敷設方向に沿って互いに連結されており、
前記ケーブル保持部は、台座部と、押さえ部材とから構成され、
前記台座部および／または前記押さえ部材には、支持線が保持される支持線保持部と、光ファイバケーブルが保持される光ファイバケーブル保持部とが形成され、前記支持線および前記光ファイバケーブルをそれぞれ前記支持線保持部および前記光ファイバケーブル保持部に配置した状態で、前記支持線および前記光ファイバケーブルを前記台座部および前記押さえ部材とで挟みこむことで、前記支持線および前記光ファイバケーブルが保持され、
前記支持線保持部および前記光ファイバケーブル保持部は、前記台座部または前記押さえ部材の少なくとも一方に形成された凹部であり、
前記支持線保持部における凹部の深さは、前記光ファイバケーブル保持部における凹部の深さよりも浅く、
前記ケーブル保持部および前記光ファイバトレイが前記カバーの内部に収容可能であることを特徴とする光ファイバクロージャ。
【請求項２】
一対の前記ケーブル保持部同士が、前記光ファイバトレイによって連結され、一対の前記ケーブル保持部間の前記支持線と、前記光ファイバトレイによって、前記ケーブル保持部が固定されることを特徴とする請求項１記載の光ファイバクロージャ。
【請求項３】
光ファイバケーブルの接続部に用いられるクロージャにおける支持線および光ファイバケーブルの保持構造であって、
台座部と、押さえ部材とから構成され、ケーブルを保持するケーブル保持部と、
前記光ファイバケーブルの接続部を収納可能な光ファイバトレイと、
前記光ファイバトレイおよび前記ケーブル保持部を覆うカバーと、
を具備し、
前記ケーブル保持部は、支持線および光ファイバケーブルを保持可能に一体で形成され、一体化された前記ケーブル保持部は、クロージャの両端部近傍にそれぞれ一対設けられ、前記光ファイバトレイによって、前記光ファイバケーブルの敷設方向に沿って互いに連結されており、
前記台座部および／または前記押さえ部材には、支持線が保持される支持線保持部と、光ファイバケーブルが保持される光ファイバケーブル保持部とが形成され、
前記支持線保持部および前記光ファイバケーブル保持部にそれぞれ配置された前記支持線および前記光ファイバケーブルが、前記台座部および前記押さえ部材とで挟みこまれて保持され、
前記支持線保持部および前記光ファイバケーブル保持部は、前記台座部または前記押さえ部材の少なくとも一方に形成された円弧状の凹部であり、
前記支持線保持部における前記凹部の曲率半径が、前記支持線の半径よりも大きく、前記光ファイバケーブル保持部における凹部の曲率半径が、前記光ファイバケーブルの半径よりも大きいことを特徴とする支持線および光ファイバケーブルの保持構造。
【請求項４】
前記ケーブル保持部は、さらに分岐ケーブルを保持可能な分岐ケーブル保持部が一体で形成されることを特徴とする請求項３記載の支持線および光ファイバケーブルの保持構造。
【発明の詳細な説明】
【技術分野】
【０００１】
本発明は、光ファイバケーブルの接続部等に用いられ、光ファイバケーブルの接続部等を収容して保護するために用いられる光ファイバ用の架空クロージャ等に関するものである。
【背景技術】
【０００２】
従来、光ファイバケーブルを架空にて接続等を行う場合には、光ファイバクロージャが用いられる。例えば、光ファイバクロージャ内で、接続対象の本線光ファイバケーブルの心線同士が引き出され、互いの端部同士が接続されて接続部が形成され、接続作業時に形成される光ファイバ心線の余長部および接続部が光ファイバクロージャ内の光ファイバトレイに収容され、カバー等で覆われて保護される。
【０００３】
このような光ファイバクロージャとしては、接続部等を確実に保護するため、例えば、特許文献１に示すように、クロージャ内にメインフレームが設けられ、メインフレームに光ファイバトレイ等が取り付けられる。メインフレームによって、クロージャの強度が確保され、接続部等が確実に保護される。
【先行技術文献】
【特許文献】
【０００４】
【特許文献１】特開２００７−１２１７７３号公報
【発明の概要】
【発明が解決しようとする課題】
【０００５】
しかし、従来のようにメインフレームを用い、メインフレームに各部品を取り付けると、小型化を達成することができず、部品点数も増加する。また、光ファイバケーブルを支持する支持線を保持するため、支持線の保持部をクロージャ外部に形成すると、支持線と光ファイバケーブルとの距離が長くなり、このため、クロージャ近傍において光ファイバケーブルと支持線との分離するための作業が必要となり、作業性が悪い。このため、作業性に優れ、小型で簡易な構造のクロージャが要求される。
【０００６】
本発明は、このような問題に鑑みてなされたもので、作業性に優れ、簡易な構造で、確実に接続部等の保護が可能な光ファイバクロージャ等を提供することを目的とする。
【課題を解決するための手段】
【０００７】
前述した目的を達成するため、第１の発明は、光ファイバケーブルの接続部に用いられるクロージャであって、ケーブルを保持するケーブル保持部と、前記光ファイバケーブルの接続部を収納可能な光ファイバトレイと、前記光ファイバトレイおよび前記ケーブル保持部を覆うカバーと、を具備し、前記ケーブル保持部は、支持線および光ファイバケーブルを保持可能に一体で形成され、一体化された前記ケーブル保持部は、クロージャの両端部近傍にそれぞれ一対設けられ、前記光ファイバケーブルの敷設方向に沿って互いに連結されており、前記ケーブル保持部は、台座部と、押さえ部材とから構成され、前記台座部および／または前記押さえ部材には、支持線が保持される支持線保持部と、光ファイバケーブルが保持される光ファイバケーブル保持部とが形成され、前記支持線および前記光ファイバケーブルをそれぞれ前記支持線保持部および前記光ファイバケーブル保持部に配置した状態で、前記支持線および前記光ファイバケーブルを前記台座部および前記押さえ部材とで挟みこむことで、前記支持線および前記光ファイバケーブルが保持され、前記支持線保持部および前記光ファイバケーブル保持部は、前記台座部または前記押さえ部材の少なくとも一方に形成された凹部であり、前記支持線保持部における凹部の深さは、前記光ファイバケーブル保持部における凹部の深さよりも浅く、前記ケーブル保持部および前記光ファイバトレイが前記カバーの内部に収容可能であることを特徴とする光ファイバクロージャである。
【０００８】
一対の前記ケーブル保持部同士が、前記光ファイバトレイによって連結され、一対の前記ケーブル保持部間の前記支持線と、前記光ファイバトレイによって、前記ケーブル保持部が固定されてもよい。
【０００９】
第１の発明によれば、クロージャ内部に支持線と光ファイバケーブルとを一体で保持するケーブル保持部を形成するため、支持線および光ファイバケーブルそれぞれの保持部を別体で形成する必要がない。このため、部品点数も少なく、構造も簡易である。
【００１０】
また、支持線および光ファイバケーブルの保持部がクロージャ内部に形成されるため、支持線と光ファイバケーブルとの配置距離が短く、設置時の作業性にも優れる。
【００１１】
また、この場合でも、支持線および光ファイバケーブルの保持部が一体であるため、小型化が達成できる。
【００１２】
また、ケーブル保持部は、台座部と押さえ部材とから構成され、支持線と光ファイバケーブルとを台座と押さえ部材とで一括して挟み込むため、それぞれのケーブルを保持するための保持部材が不要であり、取付作業も容易である。
【００１３】
また、支持線保持部および光ファイバケーブル保持部は、それぞれ台座または押さえ部材に形成された凹部であり、凹部にそれぞれのケーブルが保持されるため、ケーブルが保持部から抜けることがない。また、支持線よりも外径の大きな光ファイバケーブルの保持部に対しては、凹部の深さを深くすることで、台座に対して押さえ部材が斜めになりにくく、ケーブルをまっすぐに押さえ込むことができる。
【００１４】
また、ケーブル保持部が光ファイバトレイに直接固定されて連結されることで、フレーム等を別途形成することなく、支持線、光ファイバトレイ、およびケーブル保持部全体がフレーム状に構成され、強度を確保することができるため、コンパクトなクロージャを得ることができる。
【００１５】
第２の発明は、光ファイバケーブルの接続部に用いられるクロージャにおける支持線および光ファイバケーブルの保持構造であって、台座部と、押さえ部材とから構成され、ケーブルを保持するケーブル保持部と、前記光ファイバケーブルの接続部を収納可能な光ファイバトレイと、前記光ファイバトレイおよび前記ケーブル保持部を覆うカバーと、を具備し、前記ケーブル保持部は、支持線および光ファイバケーブルを保持可能に一体で形成され、一体化された前記ケーブル保持部は、クロージャの両端部近傍にそれぞれ一対設けられ、前記光ファイバトレイによって、前記光ファイバケーブルの敷設方向に沿って互いに連結されており、前記台座部および／または前記押さえ部材には、支持線が保持される支持線保持部と、光ファイバケーブルが保持される光ファイバケーブル保持部とが形成され、前記支持線保持部および前記光ファイバケーブル保持部にそれぞれ配置された前記支持線および前記光ファイバケーブルが、前記台座部および前記押さえ部材とで挟みこまれて保持され、前記支持線保持部および前記光ファイバケーブル保持部は、前記台座部または前記押さえ部材の少なくとも一方に形成された円弧状の凹部であり、前記支持線保持部における前記凹部の曲率半径が、前記支持線の半径よりも大きく、前記光ファイバケーブル保持部における凹部の曲率半径が、前記光ファイバケーブルの半径よりも大きいことを特徴とする支持線および光ファイバケーブルの保持構造である。
【００１６】
前記ケーブル保持部は、さらに分岐ケーブルを保持可能な分岐ケーブル保持部が一体で形成されてもよい。
【００１７】
第２の発明によれば、メインフレーム等のフレーム構造を別途設けることなく、確実にクロージャの強度を保つことができ、また、支持線および光ファイバケーブルを一括して保持可能であるため、構造が簡易かつ小型であり、また、支持線および光ファイバケーブルの外径に対してそれぞれの保持部の曲率半径が大きいため、各ケーブルの外径ばらつきにも対応可能であり、さらに複数の外径のケーブルにも同一部品で対応することができ、支持線および光ファイバケーブルを確実に保持可能な保持構造を得ることができる。
【発明の効果】
【００１８】
本発明によれば、作業性に優れ、簡易な構造で、確実に接続部等の保護が可能な光ファイバクロージャ等を提供することができる。
【図面の簡単な説明】
【００１９】
【図１】クロージャ１を示す図であり、（ａ）は正面図、（ｂ）は平面図。
【図２】ケーブル保持構造１０を示す図で、（ａ）は図１（ｂ）のＡ−Ａ線矢視図、（ｂ）はケーブル保持部９の分解図。
【図３】（ａ）は支持線１５を示す断面図、（ｂ）は光ファイバケーブル１１を示す断面図、（ｃ）は押さえ部材２５を示す断面図。
【図４】クロージャ１のフレーム構造３５を示す図。
【図５】他の実施形態を示す図で、（ａ）はケーブル保持構造１０ａを示す図、（ｂ）はケーブル保持構造１０ｂを示す図。
【図６】ケーブル保持構造１０ｃを示す図。
【図７】ケーブル保持構造１０ｄを示す図。
【発明を実施するための形態】
【００２０】
以下、本発明の実施の形態にかかるクロージャ１について説明する。図１は、光ファイバケーブルの接続部等に用いられる光ファイバ用のクロージャ１を示す図であり、図１（ａ）は正面図、（ｂ）は平面図である。なお、図１（ａ）においては、カバー３を透視した状態を示す図であり、図１（ｂ）では、カバー３、端面カバー５等を外した状態を示す図である。
【００２１】
クロージャ１は、主に光ファイバトレイ７、ケーブル保持部９、カバー３、端面カバー５等から構成される。なお、以下の説明においては、カバー３および端面カバー５を外した状態のものも、クロージャ１と称する。
【００２２】
クロージャ１は、光ファイバケーブル１１内部の光ファイバ同士の接続部等に用いられ、接続部を保護するためのものである。光ファイバケーブル１１は、クロージャ１の外部においては支持線１５によって支持される。支持線１５は、例えば鋼線である。
【００２３】
光ファイバケーブル１１および支持線１５は一対のケーブル保持部９によって保持される。ケーブル保持部９は、クロージャ１の両端部近傍にそれぞれ設けられる。光ファイバケーブル１１は、ケーブル保持部９により保持されるため、クロージャ１内部における光ファイバの接続部等に張力等が付与されることが防止される。
【００２４】
ケーブル保持部９は、光ファイバトレイ７に固定される。すなわち、一対のケーブル保持部９が光ファイバトレイ７によって、クロージャ１の長手方向（光ファイバケーブルの敷設方向）に沿って連結される。
【００２５】
図１（ｂ）に示すように、光ファイバトレイ７は、光ファイバ１７同士の接続部１９と、余長部２１が収容される部位である。余長部２１は、接続部１９を形成する際に、光ファイバ同士の接続装置等までの取り回しや、切断作業その他の作業において必要とする光ファイバ１７の余分長さである。
【００２６】
ケーブル保持部９および光ファイバトレイ７は、カバー３によって覆われる。すなわち、光ファイバケーブル１１および支持線１５は、クロージャ（カバー３）を挿通する。カバー３は、例えば開閉可能な樹脂部材であり、閉じた状態ではケーブル保持部９および光ファイバトレイ７を覆うように固定されるが、カバー３を開くと、取り外すことが可能である。すなわち、クロージャ１内部での接続作業等においては、カバー３は取り外される。
【００２７】
クロージャ１の両端面には、端面カバー５がそれぞれ設けられる。端面カバー５は、カバー３の両端面を封止するためのものである。なお、端面カバー５には、各ケーブル（光ファイバケーブル１１および支持線１５など）が貫通するための孔が形成される。
【００２８】
図２（ａ）は、図１（ｂ）のＡ−Ａ線矢視図であり、ケーブル保持構造１０（ケーブル保持部９）を示す図である。また、図２（ｂ）はケーブル保持部９の分解図である。ケーブル保持部９は主に、台座２３および押さえ部材２５等から構成される。
【００２９】
台座２３は、光ファイバトレイ７に固定される板状部材である。台座２３は光ファイバトレイ７に対して略垂直に立設される。台座２３には、ボルト２７と螺合可能な雌ねじ部が形成される。
【００３０】
押さえ部材２５は、ボルト２７によって台座２３に取り付け可能であり、ボルト２７によって、押さえ部材２５と台座２３との距離を調整可能である。ケーブル保持部９には、支持線保持部２９および光ファイバケーブル保持部３１が形成される。支持線保持部２９は、支持線１５を保持する部位である。また、光ファイバケーブル保持部３１は光ファイバケーブル１１を保持する部位である。
【００３１】
図２（ｂ）に示すように、支持線１５および光ファイバケーブル１１をそれぞれ支持線保持部２９、光ファイバケーブル保持部３１に配置し、押さえ部材２５を台座２３に取り付けてボルト２７を締めこむことで、図２（ａ）に示すように、支持線１５および光ファイバケーブル１１を台座２３と押さえ部材２５とで挟み込み、保持することができる。すなわち、支持線１５および光ファイバケーブル１１が極めて近接した位置で、一つの押さえ部材２５によって一体で保持することができる。
【００３２】
次に、支持線保持部２９、光ファイバケーブル保持部３１の形状について説明する。図３（ａ）は支持線１５を示す断面図、図３（ｂ）は光ファイバケーブル１１を示す断面図、図３（ｃ）は押さえ部材２５を示す断面図である。
【００３３】
図３（ａ）に示すように、支持線１５の外径をｄ１とし、図３（ｂ）に示すように、光ファイバケーブル１１の外径をｄ２とする。通常、光ファイバケーブル１１の外径ｄ２は、支持線１５の外径ｄ１よりも大きい。
【００３４】
押さえ部材２５の、支持線保持部２９に対応する部位には、支持線１５の保持側に凹部２５ａが形成される。同様に、押さえ部材２５の、光ファイバケーブル保持部３１に対応する部位には、光ファイバケーブル１１の保持側に凹部３１ａが形成される。凹部３１ａの凹深さは、凹部２５ａの凹深さよりも深い。なお、凹部２５ａの深さと凹部３１ａの深さは、保持対象である支持線１５と光ファイバケーブル３１の外径に対応し、それぞれのケーブルを保持した状態で、押さえ部材２５が台座２３に対して略まっすぐに固定されることが望ましい。すなわち、凹部３１ａの深さが、凹部２５ａに対して（ｄ２−ｄ１）だけ深く設定される。
【００３５】
凹部２５ａの曲率半径ｒ１は、支持線１５の外径の１／２よりも大きい。また、凹部３１ａの曲率半径ｒ２は、光ファイバケーブル１１の外径の１／２よりも大きい。したがって、それぞれのケーブル（支持線１５および光ファイバケーブル１１）の外径ばらつきによって、設定した外径よりも大きなケーブルに対しても、ケーブルを確実に保持することができる。
【００３６】
図４は、ケーブル保持部９によって支持線１５および光ファイバケーブル１１を保持した状態を示す正面図である。本発明にかかるクロージャ１は、前述したとおり、支持線１５が一対のケーブル保持部９によって略まっすぐに確実に保持される。また、ケーブル保持部９は、光ファイバトレイ７の両端部近傍に固定される。したがって、光ファイバトレイ７、ケーブル保持部９、支持線１５によって、略矩形のフレーム構造３５が形成される。この際、光ファイバケーブル１１は、フレーム構造３５を貫通するように形成される。
【００３７】
すなわち、クロージャ１は、特別なメインフレーム等を設けることなく、支持線１５、光ファイバトレイ７、ケーブル保持部９などの構成部品によって、フレーム構造３５を形成するため、部品点数も少なく、小型である。また、支持線１５は光ファイバケーブル１１に近接して保持され、クロージャ１内部に収容されるため、支持線１５をクロージャ１の外部に分離する必要がなく作業性もよい。
【００３８】
以上説明したように、第１の実施の形態によれば、フレーム部材等を用いることなく、クロージャ１の構成部品でクロージャのフレーム構造３５を形成することができる。また、支持線１５が光ファイバケーブル１１と近接するようにケーブル保持部材９により一体で保持されるため、保持作業が容易で、支持線１５と光ファイバケーブル１１を分離する手間も削減できる。
【００３９】
また、支持線保持部２９および光ファイバケーブル保持部３１のそれぞれの凹部によって、各ケーブルを確実に保持でき、この際、各ケーブルの外径に対応した凹部深さとすることで、押さえ部材２５が傾いて取り付けられることが防止できる。また、それぞれの凹部の曲率半径を保持対象のケーブルの外径の曲率半径よりも大きくすることで、ケーブルの外径のばらつき（公差）により、設定値よりも外径の大きなケーブルにも対応することができる。
【００４０】
次に、ケーブル保持構造の他の実施形態について説明する。なお、以下の説明において、ケーブル保持構造１０と同一の機能を奏する構成については、図２と同様の符号を付して、重複した説明を省略する。図５（ａ）は、ケーブル保持構造１０ａを示す図である。ケーブル保持構造１０ａは、ケーブル保持部９ａによって支持線１５および光ファイバケーブル１１が保持される。ケーブル保持部９ａはケーブル保持部９と略同様であるが、台座２３の端部に折曲部３７が形成される点で異なる。
【００４１】
折曲部３７は、台座２３の立設方向に対して略垂直に押さえ部材２５側に折曲げられて形成される部位である。すなわち、台座２３は、略コの字状に形成され、コの字状の開口部側から押さえ部材２５が取り付けられて固定される。したがって、支持線１５等は、折曲部３７によってより確実に保持され、保持部から外れることがない。
【００４２】
なお、折曲部３７と押さえ部材２５によって、支持線保持部２９、光ファイバケーブル保持部３１の凹部の深さを浅くすることもできる。また、外径の異なる（サイズの異なる）支持線１５、光ファイバケーブル１１に対して適用しても、それぞれのケーブルが外れることがなく、確実に保持することができる。すなわち、折曲部３７の長さ分だけ、適用可能なケーブルサイズ範囲が設定でき、この際のケーブル外れが防止できる。
【００４３】
なお、以上の説明においては、支持線保持部２９および光ファイバケーブル保持部３１における凹部を押さえ部材２５側に設けたが、台座２３側に形成してもよく、その両方に設けてもよい。
【００４４】
たとえば、図５（ｂ）は、台座２３側に凹部を形成したケーブル保持部９ｂを用いたケーブル保持構造１０ｂを示す図である。図に示す例では、支持線保持部２９においては、台座２３側にのみ凹部が形成され、光ファイバケーブル保持部３１においては、台座２３および押さえ部材２５の両方に凹部が形成される。すなわち、各ケーブル保持部における凹部は、少なくとも台座および押さえ部材のいずれか一方に形成されれば良い。
【００４５】
また、図６に示すように、分岐ケーブル４１を一括して保持してもよい。図６は、分岐ケーブル保持部３９を有するケーブル保持部９ｃを用いたケーブル保持構造１０ｃを示す図である。ケーブル保持部９ｃは、光ファイバケーブル保持部３１の下部に、少なくとも一つの分岐ケーブル４１を保持可能な分岐ケーブル保持部３９が形成される。分岐ケーブル保持部３９は、光ファイバケーブル保持部３１と略同様の構成である。
【００４６】
なお、分岐ケーブル４１は、当初から設けられる場合の他、後分岐において、後から追加される場合がある。この場合において、ボルト２７が支持線保持部２９と光ファイバケーブル保持部３１の間にあれば、分岐ケーブル４１がない状態でも、確実に支持線１５および光ファイバケーブル１１を保持することができる。
【００４７】
また、押さえ部材２５を２分割し、支持線１５および光ファイバケーブル１１を押さえるための押さえ部材と、分岐ケーブル４１のみを押さえる押さえ部材とを別体で構成し、それぞれ台座に固定してもよい。
【００４８】
また、分岐ケーブル４１を一体で保持する場合には、図７に示すようなケーブル保持部９ｄを有するケーブル保持構造１０ｄを用いてもよい。ケーブル保持部９ｄは、分岐ケーブル４１を保持するための分岐ケーブル保持部３９に、腕部４３および突起部４５が形成される。
【００４９】
腕部２３は、板状であり、分岐ケーブル保持部３９の台座２３に、互いの板面同士が対向するように立設する。腕部４３は互いに板面同士が平行になるように設けられ、この際、腕部４３の幅方向がケーブルの敷設方向に対応する。腕部４３の先端部近傍には突起部４５が形成される。突起部４５は、先端が刃状（鋭利）に形成され、敷設される分岐ケーブル４１の敷設方向に対して略垂直な方向に突出する。一対の隣り合う腕部４３の間に分岐ケーブル４１を押しこむと、突起部４５は分岐ケーブル４１のシースに対して食い込むように分岐ケーブル４１を保持する。
【００５０】
突起部４５は、腕部４３の端部（図中右端部であってケーブル挿入側端部）から所定の範囲にのみ形成される。すなわち、腕部４３の基部（図中腕部左端）から突起部４５の端部（左端）までは、突起部４５が形成されない範囲が存在する。ここで、腕部４３同士の間隔は、挿入される分岐ケーブル４１の外径よりもやや広い。また、突起部４５同士の間隔は、分岐ケーブル４１の外径よりもやや狭い。したがって、分岐ケーブル４１は、突起部４５間に挿入されると、やや変形して挿入される。この際、突起部４５における分岐ケーブル４１の挿入側には、挿入側端部に行くにつれて徐々に対向する突起部４５同士の間隔が広がるように形成されたテーパ形状が設けられる。このため、分岐ケーブル４１の挿入性に優れる。
【００５１】
腕部４３の長さは、分岐ケーブル４１の外径よりも長いため、分岐ケーブル４１は、腕部４３間に完全に押し込まれる。この際、腕部４３の基部から突起部４５の端部（挿入側とは逆側の端部）までの長さは、分岐ケーブル４１の外径の１／２よりも長い。すなわち、突起部４５までの長さは、分岐ケーブル４１の半径よりも大きい。
【００５２】
なお、突起部４５の突出代は、分岐ケーブル４１のシース厚み以下であることが望ましい。分岐ケーブル４１の挿入時に、内部の光ファイバ心線等を傷つける恐れがあるためである。また、分岐ケーブル４１が台座基部まで完全押し込まれた状態において、突起部４５の端部が分岐ケーブル４１のシースに食い込んだ状態であれば、分岐ケーブル４１の軸方向への力に対して、より大きな保持力を得ることができる。
【００５３】
ケーブル保持部９ｄによれば、分岐ケーブル４１を簡易に保持可能であるとともに、分岐ケーブル４１を後分岐によって設ける際にも、押さえ部材２５を外す必要がなく、また、確実に各ケーブルを保持でき、それぞれの保持部を一体で形成するため、小型なクロージャを得ることができる。
【００５４】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００５５】
１………クロージャ
３………カバー
５………端面カバー
７………光ファイバトレイ
９、９ａ、９ｂ、９ｃ、９ｄ………ケーブル保持部
１０、１０ａ、１０ｃ、１０ｄ………ケーブル保持構造
１１………光ファイバケーブル
１５………支持線
１７………光ファイバ
１９………接続部
２１………余長部
２３………台座
２５………押さえ部材
２５ａ………凹部
２７………ボルト
２９………支持線保持部
３１………光ファイバケーブル保持部
３１ａ………凹部
３５………フレーム構造
３７………折曲部
３９………分岐ケーブル保持部
４１………分岐ケーブル
４３………腕部
４５………突起部
【図１】
2012053132.tif 000003
【図２】
2012053132.tif 000004
【図３】
2012053132.tif 000005
【図４】
2012053132.tif 000006
【図５】
2012053132.tif 000007
【図６】
2012053132.tif 000008
【図７】
2012053132.tif 000009